(57)【要約】【課題】省電力化を図りつつ使い勝手の向上を図る上で有利な画像表示装置を提供する。【解決手段】画像表示装置１０は、液晶表示部３８と、液晶表示部３８に照明光を照射する照明部４０と、発電を行う発電部２８と、発電部２８で発電された電力を充電部３２に供給する電源部３０と、電源部３０から供給された電力を充電する充電部３２と、各部を制御する制御部３６を含む。照明部４０が照明動作を開始すると、液晶表示部３８の画面の輝度Ｂを第１の輝度Ｂ１に維持した状態で照明部４０の照明動作を第１の期間Ｔ１行い、第１の期間Ｔ１が終了したならば輝度Ｂを時間経過と共に低下させつつ照明部４０の照明動作を行う。そして、充電部３２の電力の残量Ｃが第１の残量Ｃ１に到達すると照明部４０の照明動作を停止させることにより照明部４０の照明動作を第２の期間Ｔ２行う。【選択図】図６
2010139615.tif 000002
【特許請求の範囲】
【請求項１】
液晶表示部と、
電力が供給されることにより前記液晶表示部に向けて照明光を照射する照明動作を行う照明部と、
電力を蓄えた充電部と、
前記充電部から前記照明部に供給される電力を制御することにより前記液晶表示部の画面の輝度を制御する照明制御部とを備え、
前記照明制御部は、
前記照明部に照明動作を開始させたのち前記輝度を第１の輝度に維持した状態で照明動作を第１の期間行わせる第１の制御動作と、
前記第１の期間が終了したならば前記照明部に前記輝度を時間経過と共に低下させつつ照明動作を、前記充電部の電力の残量が第１の残量に到達するまでの第２の期間行わせる第２の制御動作とを行い、
前記第１の残量は照明動作を行うに足る前記充電部の電力の残量である、
画像表示装置。
【請求項２】
前記液晶表示部の表示動作を指示するための操作スイッチをさらに備え、
前記照明制御部は、
前記第１の制御動作および前記第２の制御動作による前記照明部の照明動作中に前記操作スイッチが操作されると、前記充電部の電力の残量が前記第１の残量よりも少ない第２の残量に到達するまで前記輝度を時間経過と共に低下させつつ前記照明部の照明動作を行い、前記充電部の電力の残量が前記第２の残量に到達すると前記照明部の照明動作を停止させる第３の制御動作をさらに行い、
前記第３の制御動作がなされた場合の前記照明部の照明動作の開始から停止までに要する期間を第３の期間としたとき、前記第３の期間が前記第１の期間と前記第２の期間との合計よりも長い時間である、
請求項１記載の画像表示装置。
【請求項３】
前記充電部は、充電可能な２次電池あるいはキャパシタで構成され、
前記液晶表示部と、前記照明部と、前記充電部と、前記照明制御部と、前記操作スイッチとが組み込まれた筐体を有し、
前記筐体に回転可能に回転体が設けられ、
前記回転体の回転により電力を発生する発電部が設けられ、
前記発電部によって発電された電力が前記充電部に充電される、
請求項２記載の画像表示装置。
【請求項４】
前記照明制御部は、
前記照明部の照明動作中に前記発電部による前記充電部への充電動作がなされることにより、前記充電部の電力の残量が満充電に到達すると、前記第１の制御動作を再び実行する第４の制御動作をさらに行う、
請求項３記載の画像表示装置。
【請求項５】
前記照明制御部は、
前記照明部の照明動作中に前記発電部による前記充電部への充電動作がなされた状態で前記充電部の電力の残量の大小に応じて前記輝度を変化させる第５の制御動作をさらに行う、
請求項３記載の画像表示装置。
【発明の詳細な説明】
【技術分野】
【０００１】
本発明は画像表示装置に関する。
【背景技術】
【０００２】
液晶表示装置を有する携帯型の画像表示装置が種々提供されている。
液晶表示装置は、画像を表示する液晶表示部と、電力が供給されることにより液晶表示部に向けて照明光を照射する照明部とを有している（特許文献１）。
【０００３】
【特許文献１】特開２００６−１０６２９４
【発明の開示】
【発明が解決しようとする課題】
【０００４】
この種の画像表示装置は、１次電池や２次電池を電源として動作するため、１次電池や２次電池の残量が少なくなった場合には、電池の交換、あるいは、充電動作を促すために、残量不足警告ランプを点灯させたり、表示画面上に残量を示すアイコンを表示する必要がある。
しかしながら、残量不足警告ランプを用いる場合には、残量不足警告ランプによって電力が消費されることから省電力を図る上で不都合があった。
また、表示画面上に残量を示すアイコンを表示する場合には、アイコンを見逃したり、アイコンの意味を理解していないと残量を認識できない不都合があった。
本発明は、このような事情に鑑みなされたものであり、省電力化を図りつつ使い勝手の向上を図る上で有利な画像表示装置を提供することを目的とする。
【課題を解決するための手段】
【０００５】
上述の目的を達成するため、本発明の画像表示装置は、液晶表示部と、電力が供給されることにより前記液晶表示部に向けて照明光を照射する照明動作を行う照明部と、電力を蓄えた充電部と、前記充電部から前記照明部に供給される電力を制御することにより前記液晶表示部の画面の輝度を制御する照明制御部とを備え、前記照明制御部は、前記照明部に照明動作を開始させたのち前記輝度を第１の輝度に維持した状態で照明動作を第１の期間行わせる第１の制御動作と、前記第１の期間が終了したならば前記照明部に前記輝度を時間経過と共に低下させつつ照明動作を、前記充電部の電力の残量が第１の残量に到達するまでの第２の期間行わせる第２の制御動作とを行い、前記第１の残量は照明動作を行うに足る前記充電部の電力の残量である。
【発明の効果】
【０００６】
そのため、本発明によれば、充電部の残量が少なくなったことが画面の輝度低下によって示されるため、電力を消費する残量不足警告ランプが不要となり、しかも、輝度を低下させることで照明部による消費電力を低減できる。したがって、省電力化を図りつつ、使い勝手の向上を図る上で有利となる。
【発明を実施するための最良の形態】
【０００７】
（第１の実施の形態）
次に本発明の実施の形態について図面を参照して説明する。
図１は本実施の形態の画像表示装置１０の斜視図、図２は画像表示装置１０の正面図、図３は図２のＡ矢視図、図４は図２のＢ矢視図、図５は図２のＣ矢視図である。
図６は画像表示装置１０の制御系を示すブロック図である。
【０００８】
本実施の形態では、画像表示装置１０は、画像データが記録されたメモリカードから画像データを読み出して表示する写真ビューワを構成している。
図１乃至図５に示すように、画像表示装置１０は、筐体１２を有している。
筐体１２は、左右方向の幅と、幅よりも小さい寸法の上下方向の高さと、幅よりも大きな寸法の前後方向の長さを有する直方体状を呈している。
【０００９】
図１、図２に示すように、筐体１２の前部は正面から見て矩形枠状の壁部１２Ａで構成されている。
壁部１２Ａの内側に後述する液晶表示装置１４が画面１４０２を前方に向けて設けられている。
【００１０】
図２に示すように、壁部１２Ａの前端面の上部には、５つの発光ダイオード１６Ａ、１６Ｂ、１６Ｃ、１６Ｄ、１６Ｅが幅方向に間隔をおいて設けられている。
本実施の形態では、５つの発光ダイオード１６Ａ、１６Ｂ、１６Ｃ、１６Ｄ、１６Ｅによって充電表示部３４（図６）が構成されている。
【００１１】
図３乃至図５に示すように、筐体１２の幅方向の両側で後部下方寄りの箇所には、幅方向に軸心を向けた２つの回転体１８が回転可能に設けられている。
各回転体１８は、それらの外周面の一部が筐体１２の下面よりも下方に、かつ、後面よりも後方に突出して露出するように筐体１２に組み込まれている。
【００１２】
図１、図３に示すように、筐体１２の上面の後部寄りで幅方向の中央の箇所には、メモリカード２（図６）を装着するためのスロット２０が上方に開口して設けられている。スロット２０の内側にメモリカード２に電気的に接続されるカード用コネクタ２１（図６）が設けられている。
【００１３】
図４に示すように、筐体１２の下面の前部寄りに幅方向に間隔をおいて画面送りスイッチ２２Ａ、画面戻しスイッチ２２Ｂが設けられている。
本実施の形態では、画面送りスイッチ２２Ａ、画面戻しスイッチ２２Ｂにより液晶表示部の表示動作を指示するための操作スイッチが構成されている。
【００１４】
次に、画像表示装置１０の制御系について説明する。
図６に示すように、画像表示装置１０は、上述した各部に加えてメモリカード用インターフェース２４、内部メモリ２５、表示ドライバ２６、発電部２８、電源部３０、充電部３２、充電表示部３４、制御部３６をさらに備えており、これらは筐体１２に組み込まれている。
【００１５】
メモリカード用インターフェース２４は、カード用コネクタ２１に装着されたメモリカード２から供給される画像データを読み出して制御部３６に供給するものである。
表示ドライバ２６は、制御部３６から供給される画像データに基づいて液晶表示装置１４（液晶表示部３８）を駆動するものである。
内部メモリ２５は、画像データが記録されるものであり、内部メモリ２５に記録された画像データは制御部３６によって読み出されるように構成されている。
内部メモリ２５に対する画像データの記録は、制御部３６がメモリカード２から読み出した画像データを内部メモリ２５に記録することによってなされてもよいし、あるいは、予め、内部メモリ２５に画像データが記録されていてもよい。
【００１６】
液晶表示装置１４は、液晶表示部３８と照明部４０とを含んで構成されている。
照明部４０は、電力が供給されることにより（言い換えると駆動電流が供給されることにより）、液晶表示部３８に向けて照明光を照射するものである。
照明部４０としては、蛍光管、発光ダイオード、有機ＥＬなど従来公知のさまざまな光源が採用可能である。
【００１７】
液晶表示部３８は、表示ドライバ２６から供給される前記画像データに対応する駆動信号によって画素毎に駆動されることで照明部４０によって照射される照明光を変調し、これにより画像を可視化して表示するものである。
本実施の形態では、液晶表示部３８は、液晶表示装置１４の画面１４０２を構成する表示面と、表示面の反対側に位置する背面とを有し、照明光が背面に照射されることによって画像が可視化される透過型の液晶表示器で構成されている。
したがって、照明部４０から液晶表示部３８に照射される照明光の光量に応じて画面１４０２の輝度が変化することになる。
【００１８】
発電部２８は、回転体１８の回転によって発電を行うものである。
【００１９】
電源部３０は、発電部２８で発電された電力を充電部３２に供給すると共に、充電部３２に充電された電力をメモリカード用インターフェース２４、表示ドライバ２６、制御部３６、照明部４０に供給するものである。
【００２０】
充電部３２は、電源部３０から供給された電力を充電する（言い換えると電気エネルギーを蓄積する）ものである。
本実施の形態では、充電部３２として、従来公知のキャパシタ（コンデンサ）を用いているが、充電部３２としては、従来公知のさまざまな２次電池が採用可能である。
【００２１】
充電表示部３４は、充電部３２に充電された電力の大きさ（言い換えると充電部３２に蓄積された電気容量）を段階的に表示するものである。
本実施の形態では、充電表示部３４は前述した５つの発光ダイオード１６Ａ、１６Ｂ、１６Ｃ、１６Ｄ、１６Ｅで構成されている。
そして、充電表示部３４による表示動作は次のようになされる。
すなわち、回転体１８が回転されると、発電部２８によって発電された電力が電源部３０を介して充電部３２に充電されていき、充電部３２に充電された電力が大きくなるに従って、５つの発光ダイオード１６Ａ、１６Ｂ、１６Ｃ、１６Ｄ、１６Ｅがこれらの順番で１つずつ点灯する。
具体的には、充電部３２に充電がなされていない状態では、全ての５つの発光ダイオード１６Ａ、１６Ｂ、１６Ｃ、１６Ｄ、１６Ｅが滅灯している。
そして、充電部３６に充電される電力が増加するにつれて、まず１つの発光ダイオード１６Ａが点灯する。
次に２つの発光ダイオード１６Ａ、１６Ｂが点灯し、次に３つの発光ダイオード１６Ａ、１６Ｂ、１６Ｃが点灯し、次に４つの発光ダイオード１６Ａ、１６Ｂ、１６Ｃ、１６Ｄが点灯する。
最後に４つの発光ダイオード１６Ａ、１６Ｂ、１６Ｃ、１６Ｄが滅灯すると同時に、残りの１つの発光ダイオード１６Ｅが点灯することで、充電部３２が満充電となったことが表示される。
【００２２】
制御部３６は、メモリカード用インターフェース２４、内部メモリ２５、表示ドライバ２６、電源部３０の制御を司るものである。
また、制御部３６は、画面送りスイッチ２２Ａ、画面戻しスイッチ２２Ｂの操作に応じて、液晶表示部３８に表示させる画像データを変化させるものである。
より詳細には、制御部３６は、メモリカード２または内部メモリ２５に記録されている複数の画像データを予め定められた順番で読み出して表示ドライバ２６に供給することで液晶表示部３８に画像データをいわゆるスライドショーの形態で表示させる自動再生動作を行う。
また、制御部３６は、自動再生動作を実行している際に、画面送りスイッチ２２Ａが操作されると、液晶表示部３８に表示させる画像データを１画面進める制御を行う。
また、制御部３６は、自動再生動作を実行している際に、画面戻しスイッチ２２Ｂが操作されると、液晶表示部３８に表示させる画像データを１画面戻す制御を行う。
また、制御部３６は、電源部３０を制御することにより、充電部３２から電源部３０を介して照明部３２に供給される電力を制御し、これにより液晶表示部３８の画面１４０２の輝度を制御する。したがって、本実施の形態では、電源部３０および制御部３６が特許請求の範囲の照明制御部を構成している。
【００２３】
次に、画像表示装置１０の動作について図７に示す画像表示装置１０の動作を示すフローチャートを参照して説明する。
また、図８（Ａ）は第１の動作例における時間経過に伴う輝度Ｂの変化を示す説明図、（Ｂ）は時間経過に伴う充電部３２の電力の残量Ｃの変化を示す説明図である。
図９（Ａ）は第２の動作例における時間経過に伴う輝度Ｂの変化を示す説明図、（Ｂ）は時間経過に伴う充電部３２の電力の残量Ｃの変化を示す説明図である。
なお、図８、図９では図示を簡略化するために輝度Ｂ、残量Ｃを単純な直線で描いている。
予め、画像データが記録されたメモリカード２がカードコネクタ２１に装着されており、充電部３２の電力の残量Ｃが照明部４０を動作させるには足りない値にあるものとする。あるいは、予め、内部メモリ２５に画像データが記録されており、充電部３２の電力の残量Ｃが照明部４０を動作させるには足りない値にあるものとする。
まず、充電を行うため、画像表示装置１０の筐体１２を把持し、回転体１８を机の上面や部屋の壁面に当て付けた状態で筐体１２を動かし、回転体１８を回転させることにより充電操作を行う（ステップＳ１０）。この状態は図８（Ａ）、（Ｂ）の時点ｔ０に相当している。
充電部３２に充電された電力（言い換えると残量C）が満充電となったことが充電表示部３４によって表示されたならば（ステップＳ１２）、回転体１８の回転操作を停止する。
【００２４】
制御部３６は、充電部３２が満充電になったことをもって起動する。
すなわち、制御部３６は、画面１４０２の輝度Ｂが第１の輝度Ｂ１（本実施の形態では最高輝度）となるように照明部４０に供給される電力を制御して照明部４０による照明動作を開始すると共に自動再生動作を開始する（ステップＳ１４）。
この状態は図８（Ａ）、（Ｂ）の時点ｔ１に相当している。したがって、輝度Ｂは第１の輝度Ｂ１に維持され、残量Ｃは時間経過と共に次第に低下する。
これにより、液晶表示部３８の画面１４０２にはメモリカード２あるいは内部メモリ２５から読み出された画像データが順次表示される。
【００２５】
制御部３６は、画面送りスイッチ２２Ａ、画面戻しスイッチ２２Ｂが操作されたか否かを判定し（ステップＳ１６）、操作が無ければ、照明部４０が照明動作を開始してから第１の期間Ｔ１が経過したか否かを判定する（ステップＳ１８）。
制御部３６は、ステップＳ１８の判定結果が否定ならば、ステップＳ１６に戻り、ステップＳ１８の判定結果が肯定ならば、図８（Ａ）に実線で示すように、画面１４０２の輝度Ｂを時間経過と共に低下させつつ照明部４０の照明動作を行う（ステップＳ２０）。
このように画面１４０２の輝度Ｂを低下させることにより、充電部３２の残量Ｃが残り少なくなってきたことがユーザーに対して報知され、ユーザーに対して充電操作が促される。
【００２６】
次に、制御部３６は、画面送りスイッチ２２Ａ、画面戻しスイッチ２２Ｂが操作されたか否かを判定し（ステップＳ２２）、操作が無ければ、充電部３２の電力の残量Ｃが第１の残量Ｃ１以下になったか否かを判定する（ステップＳ２４）。なお、第１の残量Ｃ１は照明部４０が照明動作を行うに足る残量とされている。
ステップＳ２４の判定結果が否定ならば、ステップＳ２０に戻り、ステップＳ２４の判定結果が肯定ならば、電源部３０を制御して照明部４０の照明動作を停止させると共に時動作再生動作を停止する（ステップＳ２６）。言い換えると、画像表示装置１０が電源オフの状態となる。
この結果、図８（Ａ）、（Ｂ）に示すように、照明部４０の照明動作が時点ｔ３で停止され、照明部４０の照明動作が第２の期間Ｔ２行われることになる。
したがって、本実施の形態では、ステップＳ１４、Ｓ１８が第１の制御動作に相当している。すなわち、第１の制御動作は、照明部４０に照明動作を開始させたのち輝度Ｂを第１の輝度Ｂ１に維持した状態で照明動作を第１の期間Ｔ１行わせる制御動作である。
また、ステップＳ２０、Ｓ２４、Ｓ２６が第２の制御動作に相当している。すなわち、第２の制御動作は、第１の期間Ｔ１が終了したならば照明部４０に輝度Ｂを時間経過と共に低下させつつ照明動作を、充電部３２の電力の残量Ｃが第１の残量Ｃ１に到達するまでの第２の期間Ｔ２行わせる制御動作である。
【００２７】
また、ステップＳ１６で画面送りスイッチ２２Ａ、画面戻しスイッチ２２Ｂが操作されたと判定された場合、例えば、図８（Ａ）の時点ｔａでスイッチ２２Ａまたはスイッチ２２Ｂが操作されたと判定された場合には以下の制御動作がなされる。
なお、制御部３６は、画面送りスイッチ２２Ａが操作された場合には、自動再生動作によって表示される画像データの順番を１つの画像データ分進めて表示させる。
また、制御部３６は、画面戻しスイッチ２２Ｂが操作された場合には、自動再生動作によって表示される画像データの順番を１つの画像データ分戻して表示させる。
制御部３６は、第１の期間Ｔ１を予め定められた延長時間ΔＴ延長して新たな第１の期間（Ｔ１＋ΔＴ１）とし、照明部４０が照明動作を開始してから新たな第１の期間（Ｔ１＋ΔＴ１）が経過したか否かを判定する（ステップＳ２８）。
ステップＳ２８の判定結果が否定ならば、このステップＳ２８を再び行い、ステップＳ２８の判定結果が肯定ならば、画面１４０２の輝度Ｂを時間経過と共に低下させつつ照明部４０の照明動作を行う（ステップＳ３０）。
すなわち、図８（Ａ）、（Ｂ）に二点鎖線で示すように、輝度Ｂは新たな第１の期間（Ｔ１＋ΔＴ１）第１の輝度Ｂ１に維持されたのち、時間経過と共に次第に低下する。また、残量Ｃは時間経過と共に次第に低下する。
この場合も、画面１４０２の輝度Ｂを低下させることにより、充電部３２の残量Ｃが残り少なくなってきたことがユーザーに対して報知され、ユーザーに対して充電操作が促される。
【００２８】
次いで、制御部３６は、充電部３２の電力の残量Ｃが第２の残量Ｃ２以下になったか否かを判定する（ステップＳ３２）。なお、第２の残量Ｃ２は、第１の残量Ｃ１よりも少ない残量とされている。
制御部３６は、ステップＳ３２の判定結果が否定ならば、ステップＳ３０に戻り、ステップＳ３２の判定結果が肯定ならば、電源部３０を制御して照明部４０の照明動作を停止させると共に時動作再生動作を停止する（ステップＳ３４）。言い換えると、画像表示装置１０が電源オフの状態となる。
この結果、図８（Ａ）、（Ｂ）に示すように、照明部４０の照明動作が時点ｔ４で停止される。ここで、照明部４０の照明動作の開始から停止までに要する期間を第３の期間Ｔ３としたとき、第３の期間Ｔ３が第１の期間Ｔ１と第２の期間Ｔ２との合計よりも長い時間とされる。
したがって、ユーザーが画面送りスイッチ２２Ａ、画面戻しスイッチ２２Ｂが操作して、さらなる画像データの表示を希望した場合には、そうでない場合に比較してより長い時間、画像データが表示されることになるので、操作性の向上が図られている。
【００２９】
また、ステップＳ２２で画面送りスイッチ２２Ａ、画面戻しスイッチ２２Ｂが操作されたと判定された場合、例えば、図９（Ａ）の時点ｔｂでスイッチ２２Ａまたはスイッチ２２Ｂが操作されたと判定された場合には以下の制御動作がなされる。
なお、制御部３６は、画面送りスイッチ２２Ａが操作された場合には、自動再生動作によって表示される画像データの順番を１つの画像データ分進めて表示させる。
また、制御部３６は、画面戻しスイッチ２２Ｂが操作された場合には、自動再生動作によって表示される画像データの順番を１つの画像データ分戻して表示させる。
制御部３６は、画面１４０２の輝度Ｂを時間経過と共に低下させつつ照明部４０の照明動作を行う（ステップＳ３０）。
すなわち、図９（Ａ）、（Ｂ）に二点鎖線で示すように、輝度Ｂは時間経過と共に次第に低下する。また、残量Ｃは時間経過と共に次第に低下する。
この場合も、画面１４０２の輝度Ｂを低下させることにより、充電部３２の残量Ｃが残り少なくなってきたことがユーザーに対して報知され、ユーザーに対して充電操作が促される。
【００３０】
次いで、制御部３６は、充電部３２の電力の残量Ｃが第２の残量Ｃ２以下になったか否かを判定する（ステップＳ３２）。
制御部３６は、ステップＳ３２の判定結果が否定ならば、ステップＳ３０に戻り、ステップＳ３２の判定結果が肯定ならば、電源部３０を制御して照明部４０の照明動作を停止させると共に自動動作再生動作を停止する（ステップＳ３４）。
この結果、図９（Ａ）、（Ｂ）に示すように、照明部４０の照明動作が時点ｔ４で停止される。ここで、照明部４０の照明動作の開始から停止までに要する期間を第３の期間Ｔ３としたとき、第３の期間Ｔ３が第１の期間Ｔ１と第２の期間Ｔ２との合計よりも長い時間とされる。
したがって、この場合も、ユーザーが画面送りスイッチ２２Ａ、画面戻しスイッチ２２Ｂが操作して、さらなる画像データの表示を希望した場合には、そうでない場合に比較してより長い時間、画像データが表示されることになるので、操作性の向上が図られている。
【００３１】
したがって、本実施の形態では、ステップＳ１６、Ｓ２２、Ｓ２８、Ｓ３０、Ｓ３２、Ｓ３４が第３の制御動作に相当している。
すなわち、第３の制御動作は、第１の制御動作および第２の制御動作による照明部４０の照明動作中に操作スイッチが操作されると、充電部３２の電力の残量が第１の残量Ｃ１よりも少ない第２の残量Ｃ２に到達するまで輝度Ｂを時間経過と共に低下させる制御動作である。そして、輝度Ｂを低下させつつ照明部４０の照明動作を行い、充電部３２の電力の残量Ｃが第２の残量Ｃ２に到達すると照明部４０の照明動作を停止させる制御動作である。
【００３２】
次に、画像表示装置１０の動作中に、画面１４０２の輝度Ｂが低下したことを視認したユーザーが充電操作を行った場合、言い換えると、充電部３２に対する継ぎ足し充電を行った場合の動作について図１０に示すフローチャートを参照して説明する。
図７のステップＳ２０あるいはステップＳ３０の動作を実行し制御部３６が画面１４０２の輝度Ｂを時間経過と共に低下させつつ照明部４０の照明動作を行っている状態であるものとする。
この状態で、制御部３６は、電源部３０を介して発電部２８による充電操作がなされたか否かを判定する（ステップＳ４０）。
制御部３６は、ステップＳ４０の判定結果が否定ならば、ステップＳ４０を繰り返し、ステップＳ４０の判定結果が肯定ならば、電源部３０を介して充電部３２が満充電になったか否かを判定する（ステップＳ４２）。
ステップＳ４２の判定結果が否定ならば、ステップＳ４０に戻り、ステップＳ４２が肯定ならば、充電部３２に充電された電力（言い換えると残量C）が満充電となったことが充電表示部３４によって表示される（ステップＳ４４）。
そして、制御部３６は、図７のステップＳ１４に移行し、画面１４０２の輝度Ｂを第１の輝度Ｂ１に制御して自動再生動作を継続する（ステップＳ４６）。
【００３３】
したがって、本実施の形態では、ステップＳ４０、Ｓ４２が第４の制御動作に相当している。
すなわち、第４の制御動作は、照明部４０の照明動作中に発電部２８による充電部３２への充電動作がなされることにより、充電部３２の電力の残量Ｃが満充電に到達すると、前記第１の制御動作を再び実行する制御動作である。
【００３４】
また、図１０において、充電操作により充電部３２に対して継ぎ足し充電が行われるものの、未だ満充電に至らない場合は、ステップＳ４２での判定結果が否定となり、ステップＳ４０、Ｓ４２を繰り返して実行することになる。
上記の充電操作により充電部３２に対して継ぎ足し充電が行われている状態としては次の３通りの場合がある。
１）継ぎ足し充電による残量Ｃの増加量が、照明部４０による電力消費による残量Ｃの減少量よりも大となり、充電部３２の残量Ｃが時間経過と共に増加する。
２）継ぎ足し充電による残量Ｃの増加と、照明部４０による電力消費による残量Ｃの減少とが釣り合って充電部３２の残量Ｃが一定の値に維持される。
３）継ぎ足し充電による残量Ｃの増加量が、照明部４０による電力消費による残量Ｃの減少量よりも小となり、充電部３２の残量Ｃが時間経過と共に減少するが、充電操作を行わない場合に比較して単位時間当たりに残量Ｃが低下する度合いが小さい。
制御部３２は、上記３通りの状態のそれぞれに応じて、言い換えると、残量Ｃの増減に応じて照明部４０の光量を制御することが可能である。
すなわち、制御部３２は、充電部３２の残量Ｃが時間経過と共に増加する場合には、残量Ｃの大きさに応じて輝度Ｂを上昇させる制御を行う。
充電部３２の残量Ｃが時間経過と共に減少する場合には、残量Ｃの大きさに応じて輝度Ｂを低下させる制御を行う。
充電部３２の残量Ｃが一定に維持される場合には、輝度Ｂを一定に維持させる制御を行う。
なお、充電電部３２に対して継ぎ足し充電が行われている場合の輝度Ｂの制御動作は上述の例に限定されるものではなく、種々考えられる。
しかしながら、上述のようにすると、充電部３２の残量Ｃの大小が輝度Ｂの高低に反映され、言い換えると、充電操作のスピードや回数が輝度Ｂの高低に反映される。
したがって、輝度Ｂが、充電操作をどの程度のスピードや回数で行えばよいかの目安となるため操作性の向上を図る上で有利となる。
【００３５】
したがって、本実施の形態では、上述した制御部３２による残量Ｃの大きさに応じて輝度Ｂを変化させる制御動作が第５の制御動作に相当している。
すなわち、第５の制御動作は、照明部４０の照明動作中に発電部２８による充電部３２への充電動作がなされた状態で充電部３２の電力の残量の大小に応じて輝度Ｂを変化させる制御動作である。
【００３６】
なお、本実施の形態では、制御部３６は、充電部３２が満充電になったことをもってスライドショー形式で自動再生動作を開始するものとして説明した（図７のステップＳ１４）。
しかしながら、制御部３６による画像の表示動作は、自動再生動作に限定されるものではない。例えば、制御部３６は、充電部３２が満充電になったことをもって１枚の画像を表示させ、画面送りスイッチ２２Ａ、画面戻しスイッチ２２Ｂを操作することで手動により画像を１枚ずつ進め、あるいは、戻して表示させるようにしてもよいことは無論である。
【００３７】
本実施の形態によれば、照明部４０が照明動作を開始すると、輝度Ｂを第１の輝度Ｂ１に維持した状態で照明部４０の照明動作を第１の期間Ｔ１行い、第１の期間Ｔ１が終了したならば輝度Ｂを時間経過と共に低下させつつ照明部４０の照明動作を行うようにした。そして、充電部３２の電力の残量Ｃが第１の残量Ｃ１に到達すると照明部４０の照明動作を停止させることにより照明部４０の照明動作を第２の期間Ｔ２行うようにした。
したがって、充電部３２の残量が少なくなったことが画面１４０２の輝度低下によって示されるため、電力を消費する残量不足警告ランプが不要となり、しかも、輝度Ｂを低下させることで照明部４０による消費電力を低減する上で有利となる。
また、充電部３２の残量が少なくなったことが画面１４０２の輝度低下によって示される。そのため、表示画面上に表示される残量を示すアイコンを見逃したり、アイコンの意味を理解していないと残量を認識できないという不都合を解消することができ使い勝手の向上を図る上で有利となる。
また、本実施の形態では、第１の残量Ｃ１を照明部４０の照明動作を行うに足る充電部３２の電力の残量Ｃとした。そのため、充電部３２が充電可能な二次電池あるいはキャパシタで構成されている場合、充電部３２に対する継ぎ足し充電を行う際に、充電部３２を満充電にするまでの充電操作を軽減する上で有利となる。
【００３８】
なお、実施の形態においては、画像表示装置１０として画像データが記録されたメモリカードから画像データを読み出して表示する写真ビューワを例示した。
しかしながら、本発明は、デジタルスチルカメラ、カメラ付き携帯電話機、カメラ付きＰＤＡ、カメラ付き携帯用電子機器など、画像を表示する機能を備えるさまざまな電子機器に適用可能である。
【図面の簡単な説明】
【００３９】
【図１】本実施の形態の画像表示装置１０の斜視図である。
【図２】画像表示装置１０の正面図である。
【図３】図２のＡ矢視図である。
【図４】図２のＢ矢視図である。
【図５】図２のＣ矢視図である。
【図６】画像表示装置１０の制御系を示すブロック図である。
【図７】画像表示装置１０の動作を示すフローチャートである。
【図８】（Ａ）は第１の動作例における時間経過に伴う輝度Ｂの変化を示す説明図、（Ｂ）は時間経過に伴う充電部３２の電力の残量Ｃの変化を示す説明図である。
【図９】（Ａ）は第２の動作例における時間経過に伴う輝度Ｂの変化を示す説明図、（Ｂ）は時間経過に伴う充電部３２の電力の残量Ｃの変化を示す説明図である。
【図１０】画像表示装置１０の動作中に充電部３２に対する継ぎ足し充電を行った場合の動作を示すフローチャートである。
【符号の説明】
【００４０】
１０……画像表示装置、３８……液晶表示部、４０……照明部、３２……充電部、３６……制御部。
【図１】
2010139615.tif 000003
【図２】
2010139615.tif 000004
【図３】
2010139615.tif 000005
【図４】
2010139615.tif 000006
【図５】
2010139615.tif 000007
【図６】
2010139615.tif 000008
【図７】
2010139615.tif 000009
【図８】
2010139615.tif 000010
【図９】
2010139615.tif 000011
【図１０】
2010139615.tif 000012